(57)【要約】      （修正有）【課題】  温度計に使用する屈曲可能プローブを提供する。【解決手段】  この屈曲可能プローブ１００は、屈折可能プローブ体１３０とこの屈折可能プローブ体１３０に固定された中空チップ部材２０とで構成される。さらに、屈曲可能部材２は、屈折可能プローブ体１３０に配置された主要部を有する。屈折可能プローブ体１３０に応力がかけられると、上記の主要部の変形が起こる。特に、この変形は、適用された応力が除去された際屈折可能プローブ体１３０からの戻り応力により解除され得ず、屈折可能プローブ体１３０は傾斜した形態で保持される。【選択図】図１Ａ
0003109005.tif 000002
【実用新案登録請求の範囲】
【請求項１】
中空パイプを有する屈折可能プローブ体；
前記屈折可能プローブ体に固定され熱接触面を有する中空チップ部材；
前記熱接触面の温度を感知し且つ温度信号を生成する、前記中空チップ部材の前記熱接触面上に取り付けられた熱センサー；
前記温度信号を送信する、前記熱センサーに結合されたリードワイヤーのセット；及び
前記屈折可能プローブ体の前記中空パイプに配置された主要部を有する屈曲可能部材であって、
前記屈折可能プローブ体に応力がかけられた際、前記主要部の変形が起こり、
適用された前記応力が除去された際、前記屈折可能プローブ体からの戻り応力により、前記変形が取り消され得ず、前記屈折可能プローブ体が傾斜した形態で保持される、屈曲可能部材；
を備える屈曲可能温度計プローブであって、
前記中空パイプは、前記屈曲可能部材の前記主要部の径よりも大きな径の部分を少なくとも有することを特徴とする屈曲可能温度計プローブ。
【請求項２】
前記中空パイプは、前記屈曲可能部材が変形するスペースを提供することを特徴とする請求項１に記載のプローブ。
【請求項３】
前記屈曲可能部材の前端部に形成された防御ヘッドは、前記屈曲可能部材が前記リードワイヤーを切断することを阻止するように、前記中空チップ部材に配置されることを特徴とする請求項１に記載のプローブ。
【請求項４】
前記屈折可能プローブ体の端部に溝が規定され、前記屈曲可能部材の後端に形成された対応するフックが前記溝に埋め込まれていることを特徴とする請求項１に記載のプローブ。
【請求項５】
屈折可能プローブ体とディスプレイ部とを有し、前記屈折可能プローブ体が中空パイプを有する体部材；
前記屈折可能プローブ体に固定され熱接触面を有する中空チップ部材；
前記熱接触面の温度を感知し温度信号を発生する、前記中空チップ部材の前記熱接触面の内部上に取り付けられた熱センサー；
前記温度信号を送信する、前記熱センサーに結合されたリードワイヤーのセット；
前記屈折可能プローブ体の前記中空パイプに配置された主要部を有する屈曲可能部材であって、
前記屈折可能プローブ体に応力をかけた際、前記主要部の変形が起こり、
適用された前記応力が除去された際、前記変形が前記屈折可能プローブ体からの戻り応力により取り消され得ず、前記屈折可能プローブ体が傾斜した形態で保持される、屈曲可能部材；
対応する温度読取を表示する、前記ディスプレイ部上に取り付けられ前記信号を受信するように前記リードワイヤーに接続されたディスプレイであって、前記中空パイプが、前記屈曲可能部材の前記主要部が変形するスペースを提供する、ディスプレイ；及び
前記屈曲可能部材の前端部に形成された防御ヘッドであって、前記屈曲可能部材が前記リードワイヤーを切断するのを阻止するように、前記中空チップ部材に配置された、防御ヘッド；
を備えることを特徴とする、屈曲可能プローブを有する温度計。
【請求項６】
前記屈折可能プローブ体に溝が形成され、前記屈曲可能金属ワイヤーの端部に形成された対応するフックが前期溝に埋め込まれていることを特徴とする請求項５に記載の温度計。
【考案の詳細な説明】
【技術分野】
【０００１】
本考案は、温度計技術に係り、特に、他の温度測定技術にも同様に適用可能な、患者の温度を測定する熱プローブを用いた医療用温度計の技術に関する。
【背景技術】
【０００２】
電子温度計は、医療技術に使用する常套的なガラス水銀温度計に対して多くの利点を一般的に提供する。これら電子温度計の利点には、ディスポーザブルなカバーを使用して製造されたガラス温度計に関して滅菌工程を行う必要がなく；温度計を落下させてしまった場合にガラスが破損する可能性がなくなり；デジタル温度ディスプレイにより、温度読取の誤差が無くなり；且つ、適切な回路設計及び較正により、正確な測定により、より高い精度と分解能が、可能となり、１／１０°Ｆでの表示が容易となる；などがある。
【０００３】
しかしながら、今日の電子温度計に使用される多くのプローブは、強固であり、これにより、患者に障害を与える可能性があり、特に、一般的に温度計を経直腸で使用する小児においては、顕著である。特許文献１は、安全で、患者、特に小児に危険がない柔軟性プローブを有する電子温度計を開示する。先行技術におけるプローブは、屈曲可能ではないため、元の形状に戻る傾向にあり、温度計の体部が直線的となったままとなる傾向にある。屈曲され得ないことは、測定する体腔に上記の柔軟性を有するプローブの長手寸法を収納し得ない場合には、非常に不快となる。他の欠点には、寝たきりの患者や小児について測定される体腔に良好に、上記の柔軟性を有するプローブの形状が適合され得ない点である。
【特許文献１】米国特許第３，９４６，６１３号明細書
【考案の開示】
【考案が解決しようとする課題】
【０００４】
本考案の目的は、先行技術における制約を克服する屈曲可能プローブを有する温度計を提供することである。
【課題を解決するための手段】
【０００５】
屈曲可能部材を使用することにより、本考案によるプローブを、測定する患者の体腔に容易に適合され得るようになる。さらに、この屈曲部材の主要部は、約０．５〜２．０ｍｍの径を有する銅で好ましく製造される屈曲金属ワイヤーで構築される。この様式において、温度計によるプローブは、容易に屈曲可能となり、且つ、折れ曲がった形態にて保持され得るようになり、これにより、プローブの寿命が向上する。
【０００６】
本考案の一態様によると、屈曲温度計プローブは、屈折可能プローブ体、中空チップ部材及び屈曲部材を備える。熱接触面を有するこの中空チップ部材は、屈折可能プローブ体に固定される。屈曲部材は、屈折可能プローブ体の中空パイプに配置された主要部を含む。
【０００７】
本考案の他の態様によると、上記の中空パイプは、屈曲部材の主要部を変形させるためのスペースを提供する。一実施例において、中空パイプは、屈曲可能部材の主要部の径よりも大きな径を有する部分を少なくとも有する。好ましくは、この屈曲部材の前端部に防御ヘッドを形成する。さらに、屈折可能プローブ体の端部に溝を規定し、この溝に、屈曲可能部材の後端に形成された対応するフックを埋め込む。
【考案の効果】
【０００８】
屈折可能プローブ体に応力をかける場合、その主要部が変形する。特に、この変形は、適用された応力が除去される際、屈折可能プローブ体が折れ曲がった形態に保持されるように、屈折可能プローブ体から戻り応力により取り消され得ない。
【考案を実施するための最良の形態】
【０００９】
図１Ａを参照すると、屈曲可能プローブ１００は、屈折可能プローブ体１３０とこの屈折可能プローブ体１３０に固定された中空チップ部材２０とで構成される。屈折可能プローブ体１３０は、プラスティック又はラバー材料で典型的に製造される。中空チップ部材２０は、中空キャビティー８０を取り囲む熱接触面３０を有する。一実施例において、中空チップ部材２０は、ステンレス製スチールなどの高い熱伝導性を有する金属で好ましく製造される。
【００１０】
熱センサー４０は、中空チップ部材２０の端部１５０に配置されており、熱接触面３０の内部上に取り付けられる。熱センサー４０は、温度信号を取得するように、熱接触面３０の温度を感知し得る。この温度信号を送信するため、熱センサー４０に結合されたリードワイヤー９０のセットを配置する。
【００１１】
図１Ａにおいて符号２で指定された屈曲可能部材は、屈折可能プローブ体１３０に配置された主要部３ｂを有する。屈折可能プローブ体１３０に応力がかけられると、主要部３ｂが変形する。適用されたこの応力が除去されると、上記の変形は、屈折可能プローブ体１３０からの戻り応力により取り消され得ない。従って、屈折可能プローブ体１３０は、応力を除去した後も、傾斜した形態にて保持される。
【００１２】
さらに、屈折可能プローブ体１３０は、屈曲可能金属ワイヤー２を保持するため、中空パイプ１３０２を有する。リードワイヤー９０もまた、中空パイプ１３０２を通るように設計される。
【００１３】
屈曲可能部材２の主要部３ｂは、銅などの屈曲可能金属で製造される屈曲可能金属ワイヤー２で構築されることに留意する。図１Ｂを参照すると、屈折可能プローブ体の端部１３０ｂの側壁に溝１３０ａが好ましく規定される一方、屈曲可能金属ワイヤー２の端部に対応するフック２ａが形成される。フック２ａは、屈曲可能金属ワイヤー２を強固に固定するように、それ自体が溝１３０ａに埋め込まれてもよい。
【００１４】
再び図１Ａを参照すると、屈折可能プローブ体の前端部の外部表面に凹部１３０１が規定される。中空チップ部材２０の後端部は、重ね継ぎ（ｌａｐ  ｊｏｉｎｔ）を形成するため、屈折可能プローブ体１３０の凹部１３０１を受け入れるのに適合された内部表面を有する。
【００１５】
図２を参照すると、屈曲可能プローブを有する温度計の一実施例を示す。温度計１０は、体部材１３５と中空チップ部材２０とで製造される。図２において、詳細に説明するため、中空チップ部材２０を拡大して示す。体部材１３５は、屈折可能プローブ体１３０とディスプレイ部１４０とを有する。中空チップ部材２０は、体部材１３５の屈折可能プローブ体１３０に固定される；中空チップ部材２０は、中空キャビティー８０を取り囲む中空チップ部材２０を有する。一実施例において、中空チップ部材２０は、ステンレス製スチールなどの良好な熱伝導性を有する金属で好ましく製造される。
【００１６】
中空チップ部材２０の端部１５０には、熱センサー４０を配置し、熱接触面３０の内部に熱センサー４０を取り付ける。熱センサー４０は、熱接触面３０の温度を感知し、温度信号を発生する。この温度信号を送信するため、熱センサー４０に結合されたリードワイヤー９０のセットが存在する。
【００１７】
ディスプレイ手段５０は、ディスプレイ部１４０上に取り付けられる。ディスプレイ手段５０は、ディスプレイ４８とこのディスプレイ４８に結合された回路４５とを備える。回路４５は、上記の温度信号を受信するため、リードワイヤー９０に接続される；回路４５は、対応する温度読取値を示すように、ディスプレイ４８を駆動する。また、温度計１０は、ディスプレイ手段５０を点灯及び消灯するように、スイッチ２５０を有する。
【００１８】
この実施例の特徴を、図２乃至４と組み合わせて以下に述べる。屈曲可能部材２は、屈折可能プローブ体１３０に配置された主要部３ｂを有する。屈折可能プローブ体１３０に応力Ｆがかけられる場合、主要部３ｂが変形する。図３に示すように、主要部３ｂは、屈曲角度θ１で変形される。適用されたこの応力Ｆが取り除かれると、この変形は、屈折可能プローブ体１３０から戻り応力Ｆ１により取り消され得ない。その結果、屈折可能プローブ体１３０は、応力Ｆの除去の後も、傾斜した形態にて保持される。
【００１９】
屈曲可能部材２の主要部３ｂは、銅などの屈曲可能金属で製造される屈曲可能金属ワイヤー２で構築されることに留意する。後者の実施例は、図１Ｂと同様であるが、屈折可能プローブ体の端部の側壁に溝が好ましく規定される一方、屈曲管金属ワイヤー２の端部に対応するフックが形成される。フックは、屈折可能プローブ体に屈曲可能金属ワイヤー２を強固に固定するため、それ自体が上記の溝に埋め込まれてもよい。さらに、屈折可能プローブ体１３０は、屈曲可能金属ワイヤー２を保持するように、中空パイプ１３０２を有する。また、リードワイヤー９０は、中空パイプ１３０２を通るように設計される。
【００２０】
図２を再び参照すると、屈折可能プローブ体の前端の外部表面に凹部１３０１が規定される。中空チップ部材２０の後端部は、重ね継ぎを形成するため、屈折可能プローブ体１３０の凹部１３０１を受けるのに適合された内部表面を有する。
【００２１】
この実施例によると、中空チップ部材２０は、銀、白金又はステンレス製スチールなどの良好な熱伝導性を有する金属で好ましく製造される。中空チップ部材２０は、管状の形態にて製造され、ドーム型で半球又は半楕円の形状の端部で封止される。中空チップ部材２０はまた、中空キャビティー８０を取り囲む熱接触面３０をも有する。熱接触面３０は、患者の皮膚から中空チップ部材２０へと熱が移行し得るように、患者の肌に接触される。一実施例において、熱センサー４０は、サーミスタである。リードワイヤー９０及び熱センサー４０は、両方とも、熱伝導性接着剤で熱接触面３０の内部上に接着される。この接着剤は、例えばエポキシ樹脂などの良好な熱伝導性を有する絶縁材料である。さらに、リードワイヤー９０は、電気的リードワイヤーのペアで製造される；これらは、熱センサー４０を回路４５に接続するのに使用される。
【００２２】
しかしなら、リードワイヤー９０は、屈曲可能金属ワイヤー２が中空キャビティー８０に押し込まれると、容易に切断される可能性がある。この問題を克服するため、中空パイプは、屈曲可能部材２が中空キャビティー８０に押し込まれるのを阻止するように、屈曲可能部材の主要部が変形するためのスペース１３０３を提供する。この効果を促進するため、フック２ａは、図１Ｂに示すように屈折可能プローブ体１３０に屈曲可能金属ワイヤー２を強固に固定するように、溝１３０ａにそれ自体を埋め込んでもよい。
【００２３】
図５及び図６を参照すると、中空パイプ１３０２は、屈曲可能部材２の主要部３ｂの径よりも大きな径の部分を少なくとも好ましく有する。さらに、屈曲可能部材２の前端部に防御ヘッド１３０４が形成される。防御ヘッド１３０４は、屈曲可能部材２がリードワイヤー９０を切断するのを阻止するように、中空チップ部材２０に配置される。
【００２４】
図３から明らかなように、屈折可能プローブ体１３０に応力Ｆをかけると、主要部３ｂが変形する。続いて、主要部３ｂが屈曲角度θ１で変形される。屈曲応力Ｆ２は、屈折可能プローブ体１３０からの戻り応力Ｆ１よりも大きいので、適用された応力が除去された際、屈曲角度θ１は、戻り応力Ｆ１により取り消され得ない。その結果、屈折可能プローブ体１３０は、応力Ｆを除去した後も、傾斜した形態で保持される。
【００２５】
逆に、適用される応力Ｆが不十分である場合、主要部３ｂは、より小さな角度θ２で屈曲される。この場合、屈曲応力Ｆ２は、屈折可能プローブ体１３０からの戻り応力Ｆ１よりも小さく、屈曲角度θ２は、適用された応力Ｆが除去されると、戻り応力Ｆ１により取り消され得る。従って、屈折可能プローブ体１３０は、応力Ｆを除去した後に、元の形状に戻る。
【００２６】
上述の観点において、屈曲可能部材を使用することにより、本考案による温度計プローブは、測定される患者の体腔に良好に適合され得るようになる。加えて、屈曲可能部材は、約０．５〜２．０ｍｍの径を有する金属ワイヤーで好ましく製造される。従って、本考案の温度計プローブは、傾斜した形態にて、容易に屈曲され且つ保持され、これにより、プローブの寿命が促進する。
【００２７】
本考案を例示し且つ好適実施例に関して説明してきたが、本考案は、開示した実施例に限定されないことを理解すべきである。逆に、種々の改変及び同様の配列を包含することを意図する（このことは、当業者には明らかであろう）。従って、添付した実用新案登録請求の範囲は、かかる変法及び同様の配列の全てを包含するように最も広範な解釈に従うべきである。
【図面の簡単な説明】
【００２８】
【図１Ａ】本考案の一実施例による屈曲可能プローブの拡大断面図である。
【図１Ｂ】図１Ａの屈折可能プローブ体の断面図である。
【図２】本考案による温度計の部分断面図である。
【図３】本考案による温度計の斜視図であって、その屈折可能プローブには、十分な応力が与えられている。
【図４】本考案による温度計の斜視図であって、その屈折可能プローブには、不十分な応力が与えられている。
【図５】本考案の一実施例による屈曲可能プローブの拡大断面図である。
【図６】図５の屈折可能プローブ体の側方断面図である。
【符号の説明】
【００２９】
２          屈曲可能部材
１０        温度計
２０        中空チップ部材
３０        熱接触面
４０        熱センサー
４５        回路
４８        ディスプレイ
５０        ディスプレイ手段
８０        中空キャビティー
９０        リードワイヤー
１００      屈曲可能プローブ
１３０      屈折可能プローブ体
１３５      体部材
１４０      ディスプレイ部
１５０      端部
２５０      スイッチ
１３０１    凹部
１３０２    中空パイプ
１３０３    スペース
１３０４    防御ヘッド
１３０ａ    溝
１３０ｂ    屈折可能プローブ体の端部
２ａ        フック
３ｂ        主要部
Ｆ          応力
θ１        屈曲角度
θ２        屈曲角度
【図１Ａ】
0003109005.tif 000003
【図１Ｂ】
0003109005.tif 000004
【図２】
0003109005.tif 000005
【図３】
0003109005.tif 000006
【図４】
0003109005.tif 000007
【図５】
0003109005.tif 000008
【図６】
0003109005.tif 000009